(57)【要約】【課題】  災害が発生したことを低コストで確実に把握する。【解決手段】  家屋などの住宅２に設置された電化製品制御装置（インターホン制御装置）としてのＨＧＷ（ホームゲートウェイ）３と、複数のエリア内に設置されたセンター装置（避難信号送信装置）１５とを備えており、ＨＧＷ３およびセンター装置１５はネットワーク１３を介して接続されている。緊急性の高い状態通知の場合は、宅内ドアホン（宅外ドアホン）で呼び出しをして応答があれば音声メッセージを出力する。緊急性の低い状態通知では、人感センサで在室を確認し宅内ドアホンで呼び出して、応答があれば音声メッセージを出力する。【選択図】図１
2007188327.tif 000002
【特許請求の範囲】
【請求項１】
ネットワークを介して家屋に設置されたインターホンを制御するための制御情報を取得して前記インターホンを制御するためのインターホン制御装置と、
取得した災害情報に基づいて所定の避難信号を生成して前記インターホン制御装置へ送信するための避難信号送信装置と、
前記インターホン制御装置に備わり受信した前記避難信号に基づいて避難情報を前記インターホンを介して報知するための報知制御装置と、
を備えることを特徴とする災害警報システム。
【請求項２】
前記インターホンは、
前記家屋の宅内または宅外の少なくとも一方に設けられていることを特徴とする請求項１に記載の災害警報システム。
【請求項３】
前記避難信号送信装置は、
前記所定の避難信号として、前記インターホン制御装置が設置された地域の災害の種別、災害の規模、避難場所に関する情報の少なくとも１つ以上の情報を生成することを特徴とする請求項１または２に記載の災害警報システム。
【請求項４】
前記インターホン制御装置は、
室内の異常を検知するための異常検知装置と、
電化製品制御装置の状態が変化したことを検知するための状態変化検知装置と、
を備えることを特徴とする請求項１〜３のうちのいずれかに記載の災害警報システム。
【請求項５】
前記報知制御装置は、
人体を検知するための人体検知装置
を備えることを特徴とする請求項４に記載の災害警報システム。
【発明の詳細な説明】
【技術分野】
【０００１】
本発明は、災害警報システムに関し、例えば、地震、津波、土砂崩れ等の災害が発生したときに、住宅内に設置されたインターホンなどの電化製品を制御するホームゲートウェイ等の電化製品制御装置を用いて速やかに警報を行うことができる災害警報システムに関する。
【背景技術】
【０００２】
一般に、地震、津波、土砂崩れ、台風、洪水、噴火等の災害情報をテレビやラジオ等で広域に伝達することが知られている。しかしながら、テレビやラジオ等は災害情報を広域に伝達するため、町、村等の狭い地域の人々にきめ細かい災害情報を伝達することができない。
【０００３】
このような不具合に対応するものとしては、広告やＣＭの配信元である広域情報発信者から広告データが配信センターを通じて表示装置に配信されている状況下で、配信センターに地域情報配信者から緊急情報データの配信要請があった場合には、配信センターで緊急情報データのデータ情報として配信元情報、属性コード、地域コードを用いて、緊急情報を配信すべき地域を決定し、その地域に設置されている表示装置の位置を抽出し、広告データの配信に割り込んで緊急情報データを適切に表示装置に配信するものが知られている（例えば、特許文献１参照）。
【０００４】
例えば、火山の活動情報と洪水の情報を配信する可能性のある地域では、情報の配信地域区分はおのずと異なるので、このように、災害情報を配信する場合には、地域毎に内容、詳細度が異なる情報をそれが必要となる地域に適切に配信することができる。
【特許文献１】特開２００１−２７４８３０号公報
【発明の開示】
【発明が解決しようとする課題】
【０００５】
しかしながら、このような従来の災害警報システムにあっては、広告データの配信に割り込んで緊急情報データを表示装置に配信して表示するようにしているため、住宅内にいて広告を見ることができない人は災害情報を把握することができない。
【０００６】
また、緊急情報データを表示するので、表示装置の近傍にいても表示装置を常時見ていないと、緊急情報データを見過ごしてしまうこともあり、確実に警報を受け取ることが困難となってしまい、未だ改善の余地がある。
【０００７】
本発明は、従来の問題を解決するためになされたもので、災害が発生したことを低コストで確実に把握することができる災害警報システムを提供することを目的とする。
【課題を解決するための手段】
【０００８】
請求項１に記載の本発明は、ネットワークを介して家屋に設置されたインターホンを制御するための制御情報を取得して前記インターホンを制御するためのインターホン制御装置と、取得した災害情報に基づいて所定の避難信号を生成して前記インターホン制御装置へ送信するための避難信号送信装置と、前記インターホン制御装置に備わり受信した前記避難信号に基づいて避難情報を前記インターホンを介して報知するための報知制御装置と、を備える。
【０００９】
また、請求項２に記載の本発明は、請求項１において、前記インターホンは、前記家屋の宅内または宅外の少なくとも一方に設けられている。
【００１０】
また、請求項３に記載の本発明は、請求項１または２において、前記避難信号送信装置は、前記所定の避難信号として、前記インターホン制御装置が設置された地域の災害の種別、災害の規模、避難場所に関する情報の少なくとも１つ以上の情報を生成する。
【００１１】
また、請求項４に記載の本発明は、請求項１〜３のうちのいずれかにおいて、前記インターホン制御装置は、室内の異常を検知するための異常検知装置と、電化製品制御装置の状態が変化したことを検知するための状態変化検知装置と、を備える。
【００１２】
また、請求項５に記載の本発明は、請求項４において、前記報知制御装置は、人体を検知するための人体検知装置を備える。
【発明の効果】
【００１３】
本発明は、災害警報が発生したことを低コストで確実に把握することができる災害警報システムを提供することができる。
【発明を実施するための最良の形態】
【００１４】
以下、災害警報システムの実施の形態について、図面を用いて説明する。
【００１５】
図１〜図５は災害警報システムの実施の形態を示す図である。
【００１６】
まず、構成を説明する。図１において、災害警報システム１は、家屋などの住宅２に設置された電化製品制御装置（インターホン制御装置）としてのホームゲートウェイ（以下、単にＨＧＷという）３と、複数のエリア内に設置されたセンター装置（避難信号送信装置）１５とを備えており、ＨＧＷ３およびセンター装置１５は電話回線等の公衆回線やインターネット等のネットワーク１３を介して接続されるようになっている。なお、ネットワーク１３は外部ネットワーク手段を構成している。
【００１７】
図２は、本実施の形態に係るＨＧＷ３の構成図である。なお、ＨＧＷ３は任意の家屋毎に設置されているが、本実施の形態では、説明の便宜上、１つのみを図示している。
【００１８】
図２において、ＨＧＷ３は、外部通信部２１、内部通信部２２、記憶部２３、入力部２４、表示部２５、音声生成部２６、スピーカ２７および異常検知部２８を備えており、これら外部通信部２１、内部通信部２２、記憶部２３、入力部２４、表示部２５、音声生成部２６、スピーカ２７および異常検知部２８は内部バス３０を介して接続されている。
【００１９】
外部通信部２１は、モデムやＴＡ（ターミナルアダプタ）、無線ＴＡ等から構成されており、ネットワーク１３を経由して端末装置としての携帯電話１４やセンター装置１５と通信を行う。
【００２０】
内部通信部２２は、内部ネットワーク手段としての内部ＬＡＮ（Local Area Network）１２を介して電化製品４〜７、宅内ドアホン（インターホン）８および宅外ドアホン（インターホン）９との間でデータ通信を行うようになっている。電化製品４〜７は住宅２に設けられており、例えば、テレビ、ビデオデッキ、照明器具、窓や玄関等の錠を自動開閉する自動施錠装置、ブレーカー、監視カメラ等のように電気によって制御されるものであれば何でも良い。なお、本実施の形態では、説明の便宜上、電化製品を４つ図示しているが、実際は４つに限定されるものではない。
【００２１】
また、宅内ドアホン８は住宅２内に設けられており、この宅内ドアホン８は図３に示すように、呼出し音を出力するスピーカ３１、画像を表示する表示パネル３２、通話を行うためのオンフック／オフフック可能な送受話器３３および宅内ドアホン８全体を制御する制御部３４等を備えている。
【００２２】
また、宅外ドアホン９は住宅２外に設けられており、この宅外ドアホン９は図４に示すように、カメラ４１、呼出しボタン４２、マイク４３、スピーカ４４および宅外ドアホン９全体を制御する制御部４５等を備えている。
【００２３】
このような構成を有する宅内ドアホン８および宅外ドアホン９にあっては、来客が宅外ドアホン９の呼出しボタン４２を押下すると、宅内ドアホン８がスピーカ３１から呼出し音を出力し、住人が宅内ドアホン８の送受話器３３をオフフックすると、宅外ドアホン９のカメラ４１で撮像した来客の画像を宅内ドアホン８の表示パネル３２に表示するとともに、オフフックされた送受話器３３によって来客と会話を行うことができるようになっている。
【００２４】
本実施の形態では、宅内ドアホン８が音声出力手段としての送受話器３３を備えた電化製品を構成し、宅外ドアホン９が音声出力手段としてのスピーカ４４を備えた電化製品を構成している。
【００２５】
記憶部２３はハードディスクやＣＤ−ＲＯＭ等の記憶媒体から構成されており、ＨＧＷ３を制御するためのプログラムが記憶されているとともに、制御部２９が各種制御を行う際のデータの一時的な記憶を行うようになっている。また、センター装置１５から送信される後述する警報信号を一時的に記憶するようになっている。
【００２６】
また、記憶部２３には、ＨＧＷ３の異常を通知するためのメッセージが記憶されている。このメッセージは、例えば、「ガス漏れが発生している可能性があります」「火災が発している可能性があります」、「水漏れが発生している可能性があります。」というようなメッセージである。
【００２７】
また、記憶部２３には、ＨＧＷ３の故障が発生したり、バージョンアップが行われたことを通知するためのメッセージが記憶されている。このメッセージは、例えば、「故障箇所がありますので、修理を行う必要があります」というメッセージや、「バージョンアップが行われました」というようなメッセージである。
【００２８】
入力部２４は、各種操作ボタンやキーボード等から構成されており、制御する電化製品４〜７の制御内容を設定する等の入力を行う。表示部２５は、液晶表示装置等の表示装置から構成されており、電化製品４〜７の制御内容等を表示するようになっている。
【００２９】
音声生成部２６は記憶部２３に記憶された警報信号を、警報信号の内容に応じた音声信号に変換するようになっており、スピーカ２７はその音声信号を音声に変換して出力するようになっている。
【００３０】
また、異常検知部２８は外部通信部２１、内部通信部２２、記憶部２３、入力部２４、表示部２５、音声生成部２６、スピーカ２７および制御部２９の状態を常時監視し、異常が発生したか否かを検知し、異常が発生したときに制御部２９に異常検知信号を送信するようになっている。
【００３１】
制御部（報知制御装置）２９は、ＣＰＵ（Central Processing Unit）等から構成されており、ＨＧＷ３全体を制御するようになっている。本実施の形態では、制御部２９は、外部通信部２１を介して携帯電話１４から電化製品４〜７、宅内ドアホン８および宅外ドアホン９を制御するための制御情報を受信したときに所定のシーケンスに従って電化製品４〜７、宅内ドアホン８および宅外ドアホン９を制御する。
【００３２】
また、センター装置１５から後述する避難信号が入力されると、避難信号を音声生成部２６によって音声信号に変換して宅内ドアホン８および宅外ドアホン９に出力するようになっている。
【００３３】
すなわち、宅内ドアホン８に音声信号が入力すると、制御部３４はスピーカ３１から呼出し音を出力するようになっており、住人が送受話器３３をオフフックすると送受話器３３から避難情報を出力する。また、宅外ドアホン９は、音声信号が入力すると、音声信号を音声に変換して避難情報を出力する。
【００３４】
一方、内部ＬＡＮ１２には火災センサ、ガス検知センサ、水検知センサ等を備えた異常検知センサ（異常検知装置）１０が接続されており、この異常検知センサ１０は、住宅２内で発生した火災、ガス漏れ、水漏れ等を検知して検知信号をＨＧＷ３に送信する。
【００３５】
また、内部ＬＡＮ１２には人体検知手段としての人感センサ１１が接続されており、この人感センサ１１は温度センサや光センサから構成され、住宅２の所定のエリアに人が位置したときや通過したときに人を検知して検知情報をＨＧＷ３に出力する。なお、人感センサ１１はカメラから構成しても良い。
【００３６】
また、制御部２９はネットワーク１３を介して図示しないサーバから外部通信部２１にＨＧＷ３のバージョンアップ情報をダウンロードしてＨＧＷ３のバージョンアップを行うようになっている。なお、このバージョンアップに関しては、ＨＧＷ３に端末装置を接続してこの端末装置からバージョンアップ情報をダウンロードしても良い。このときに、制御部２９はＨＧＷ３のバージョンアップが行われたことを検知して、例えば、記憶部２３にバージョンアップ履歴を記憶する。本実施の形態では、異常検知部２８および制御部２９が状態変化検知装置を構成している。
【００３７】
ＨＧＷ３は、異常検知センサ１０または異常検知部２８の検知情報に基づいて宅内ドアホン８および宅外ドアホン９を制御するようになっている。具体的には、ＨＧＷ３の制御部２９は異常検知センサ１０が住宅２内の異常を検知したときに、宅内ドアホン８に異常信号を送信するようになっており、宅内ドアホン８の制御部３４はこの異常信号に基づいてスピーカ３１から呼出し音を出力する。居住者が送受話器３３をオフフックすると、異常検知に応じた音声を出力する。
【００３８】
また、宅外ドアホン９の制御部４５は異常信号に基づいてスピーカ４４から異常検知に応じた音声を出力する。
【００３９】
また、ＨＧＷ３は、制御部２９から状態変化信号が入力した場合には、人感センサ（人体検知装置）１１および宅外ドアホン９の作動状態に基づいて宅内ドアホン８を制御する。
【００４０】
具体的には、制御部２９がＨＧＷ３のバージョンアップや故障等の緊急性の低い状態変化を検知した場合には、居住者が宅外ドアホン９を作動した後、住宅２内に入って人感センサ１１が人体を検知したときに、状態変化信号を宅内ドアホン８の制御部３４に送信する。
【００４１】
宅内ドアホン８は、状態変化信号を受信すると、制御部３４がスピーカ３１から呼出し音を出力し、居住者が送受話器３３をオフフックすると、状態変化信号に応じた音声を出力する。なお、本実施の形態では、制御部２９が制御手段を構成している。
【００４２】
一方、センター装置１５は、例えば、区役所等の自治体、気象庁、ガス会社、電力会社、水道局、電話局等のサーバ等から構成されており、地域毎に設置されている。なお、本実施の形態では、説明の便宜上、１つのセンター装置１５を図示しているが、実際は日本全国の各地域に設けられている。また、本実施の形態では、自治体に設置されたサーバを例にしてセンター装置１５の説明を行う。
【００４３】
図５はセンター装置１５の構成図である。図５において、センター装置１５は外部通信部５１、災害情報取得部５２、制御部５３および記憶部５４を備えている。
【００４４】
外部通信部５１は、モデムやＴＡ、無線ＴＡ等から構成されており、ネットワーク１３と通信を行う。
【００４５】
異常情報取得部４３は、地震計を備えているとともに、気象庁等から送信される津波、土砂崩れ、台風、洪水、噴火等の災害情報を取得するようになっている。なお、異常情報取得部４３は、津波、土砂崩れ、台風、洪水、噴火等の災害情報を検知する各種検知装置を備えたものから構成しても良い。
【００４６】
記憶部５４は、ハードディスクやＣＤ−ＲＯＭ等の記憶媒体から構成されており、地震計が検知した地震情報（Ｐ波、Ｎ波等の検知情報やその到達時間）や津波の大きさとその到達時間、土砂崩れの大きさとその発生時間、台風の風速とその到達時間、洪水の大きさとその到達時間、噴火の大きさとその到達時間等のような災害の種別とその規模等の災害情報を記憶するようになっている。
【００４７】
また、記憶部５４は、センター装置５の管轄エリアに設置された避難信号の送信先のＨＧＷ３のアドレス、そのＨＧＷ３が設置された地域の避難場所の名称や位置等の避難場所に関する情報、それらを報知するための文章等が記憶されている。
【００４８】
制御部５３は、ＣＰＵ等から構成されており、制御部５３はセンター装置１５の全体を制御するようになっている。本実施の形態では、災害情報取得部５２が災害情報を取得したときに、制御部５３は、記憶部５４に記憶された災害の種別と規模、ＨＧＷ３のアドレス、避難場所に関する情報等を読み出して避難信号を生成し、この避難信号を外部通信部５１からネットワーク１３を介してＨＧＷ３に送信するようになっている。
【００４９】
本実施の形態では、避難信号取得部５２が災害情報取得手段を構成し、外部通信部５１、制御部５３および記憶部５４が避難信号送信手段を構成している。
【００５０】
次に、災害警報システム１による災害警報方法を説明する。
【００５１】
センター装置１５は、災害情報取得部５２によって地震、津波、土砂崩れ、台風、洪水、噴火等の災害情報を取得すると、制御部５３は、記憶部５４に記憶された災害の種別と規模、ＨＧＷ３のアドレス、避難場所に関する情報等を読み出して避難信号を生成する。
【００５２】
例えば、地震計によって初期微動信号（例えば、Ｐ波（縦揺れ）地震が発生した場合には、記憶部５４に記憶された避難信号として、例えば「震度７の地震が２分後に到達します。○○小学校に避難して下さい」というメッセージを生成して、外部通信部５１からネットワーク１３を介してＨＧＷ３に避難信号を送信する。
【００５３】
すなわち、制御部５３は、災害の種別、災害の規模、避難場所等に関する情報を避難信号として生成して、外部通信部５１からネットワーク１３を介してＨＧＷ３に送信する。
【００５４】
ＨＧＷ３は、外部通信部２１がこの避難信号を受信すると、制御部２９がこの避難信号を記憶部２３に一時的に記憶する。制御部２９はこの避難信号を音声生成部２６によって音声信号に変換した後、内部通信部２２から宅内ドアホン８および宅外ドアホン９に出力する。
【００５５】
宅内ドアホン８は、ＨＧＷ３から音声信号が入力すると、制御部３４がスピーカ３１から呼出し音を出力するので、住人が送受話器３３をオフフックすると送受話器３３から避難情報として、上述した「震度７の地震が２分後に到達します。○○小学校に避難して下さい」という避難情報を出力する。
【００５６】
また、宅外ドアホン９は、ＨＧＷ３から音声信号が入力すると、制御部４５がスピーカ４４から「震度７の地震が２分後に到達します。○○小学校に避難して下さい」という避難情報を出力する。
【００５７】
なお、本実施の形態では、地震が発生したときに警報信号を生成する例について説明しているが、津波、土砂崩れ、台風、洪水、噴火等の災害情報が発生した場合に、避難信号を生成する場合にも上述したものと同様に避難信号が生成されることは、言うまでもない。例えば、津波が発生した場合には「高さ１０ｍの津波が１０分後に到達します。××公民館に避難して下さい」という避難信号が生成される。
【００５８】
一方、異常検知センサ１０によって火災、ガス漏れ、水漏れ等の住宅２内の異常が検知された場合には、制御部２９により発生した異常に応じたメッセージを記憶部２３から読み出し、このメッセージを音声生成部２６によって音声信号に変換して宅内ドアホン８に異常信号として出力する。
【００５９】
このとき、宅内ドアホン８の制御部３４はこの異常信号を受信すると、スピーカ３１から呼出し音を出力する。居住者が送受話器３３をオフフックすると、異常信号を音声に変換し、例えば、「ガス漏れが発生している可能性があります」という音声を出力する。
【００６０】
また、宅外ドアホン９の制御部４５は異常信号を受信すると、スピーカ４４によって異常信号を音声に変換し、スピーカ４４から「ガス漏れが発生している可能性があります」という音声を出力する。
【００６１】
一方、異常検知部２８がＨＧＷ３の故障を検出するか、制御部２９がＨＧＷ３のバージョンアップが行われたことを検知した場合には、制御部２９により宅外ドアホン９から呼出しボタン４２の操作信号を受信したか否かを判別し、操作信号を受信した場合には、人感センサ１１が人体を検知したか否かを判別する。
【００６２】
すなわち、宅外ドアホン９から呼出しボタン４２の操作信号を受信し、人感センサ１１が人体を検知した場合には、制御部２９は外出先から居住者が帰宅したものと判断し、宅内ドアホン８の制御部３４に状態変化信号を送信する。
【００６３】
宅内ドアホン８の制御部３４は状態変化信号を受信すると、スピーカ３１から呼出し音を出力するので、居住者が送受話器３３をオフフックすると、状態変化信号に応じた音声、例えば、「故障箇所がありますので、修理を行う必要があります」というメッセージや、「バージョンアップが行われました」という音声を出力する。
【００６４】
このように本実施の形態では、センター装置１５が災害情報を取得すると、避難信号を生成して各家屋に設置されるＨＧＷ３に送信し、ＨＧＷ３が宅内ドアホン８および宅外ドアホン９を制御して避難情報を音声によって通知するので、住宅２内にいる人は避難情報を確実に把握することができる。
【００６５】
また、住宅２内に設置されたＨＧＷ３を用いてセンター装置１５から送信される避難信号を受信して音声により避難情報を報知するので、災害警報システム１のコストが増大するのを防止することができる。
【００６６】
また、本実施の形態では、住宅２に既存の宅内ドアホン８および宅外ドアホン９を利用して避難信号を音声に変換して避難情報を報知するので、音声通知を行うための特別な出力手段を不要にでき、災害警報システム１のコストが増大するのをより一層防止することができる。
【００６７】
また、宅内ドアホン８から避難情報を報知すれば、在宅する人が避難情報を確実に把握することができる。さらに、宅外ドアホン９から避難情報を音声報知すれば、宅外ドアホン９の周辺にいる人に避難情報を知らせることができ、住宅２外にいる人やドアホンが設置されていない住宅２内の人にも避難情報を知らせることができる。
【００６８】
また、本実施の形態では、センター装置１５からＨＧＷ３送信される避難信号として災害の種別、災害の規模、避難場所に関する情報を送信し、宅内ドアホン８および宅外ドアホン９から音声によって報知することにより、住宅２内において避難情報の把握や安全の確保を図ることができる。
【００６９】
また、本実施の形態では、室内に火災、ガス漏れ、水漏れ、侵入者等の異常が発生したときやＨＧＷ３の故障、バージョンアップ等の状態変化が発生した場合に、異常情報を宅内ドアホン８および宅外ドアホン９によって報知するので、住宅２内の異常やＨＧＷ３の状態変化を把握することができる。
【００７０】
また、本実施の形態では、ＨＧＷ３の故障やバージョンアップ等のような緊急性の低い状態変化を検知した場合には、居住者が宅外ドアホン８を作動した後、居住者が住宅２内に入って人感センサ１１によって検知されたときに、宅内ドアホン８および宅外ドアホン９によって報知を行うことにより、住宅２内に人がいないのにもかかわらず、不要な報知を行うのを防止することができる。また、ＨＧＷ３の状態変化があった場合に、宅外ドアホン９を作動させただけでは状態変化を報知しないので、不在時に来客や勧誘等の訪問者に不必要な情報を伝えるのを防止することができる。
【００７１】
また、火災等の住宅２内の異常を検知した場合には、宅内ドアホン８および宅外ドアホン９によって直ちに報知を行うことにより、周囲の人に異常を報知することができ、何らかの対処を講じることができる。
【００７２】
なお、本実施の形態では、警報信号を音声信号に変換して宅内ドアホン８および宅外ドアホン９から音声によって避難情報や、室内の異常、ＨＧＷ３の状態変化等を報知するようにしているが、ＨＧＷ３に内蔵されたスピーカ２７から避難情報や異常情報を報知するようにしても良い。この場合には、スピーカ２７が第２の出力手段を構成する。また、スピーカ２７、宅内ドアホン８、宅外ドアホン９の全てから避難情報や異常情報を出力するようにしても良い。
【００７３】
また、本実施の形態では、避難情報を報知するのに際しては、センター装置１５が生成した避難信号をＨＧＷ３によって再生するようにしているが、これに限るものではない。
【００７４】
例えば、ＨＧＷ３の記憶部２３にテキスト文書を音声データに変換するプログラムを記憶しておき、センター装置１５が避難信号をテキスト文書で生成してＨＧＷ３に送信したときに、ＨＧＷ３がこのテキスト文書による避難信号を音声信号に変換するようにしても良い。
【００７５】
また、ＨＧＷ３の記憶部２３に複数の音声データを記憶し、センター装置１５が音声データに対応した複数の文章コードを避難信号として生成してＨＧＷ３に送信し、ＨＧＷ３がそれぞれの文章コードに対応した音声データを記憶部２３から読み出して合成しても良い。
【００７６】
例えば、記憶部２３に「“震度”、“７”、“地震”、“２分後”、“到着します”、“○○小学校”、“避難してください”」という音声データを記憶し、センター装置１５が「“震度”、“７”、“地震”、“２分後”、“到着します”、“○○小学校”、“避難してください”」という文章コードを避難信号として生成してＨＧＷ３に送信すると、ＨＧＷ３の制御部２９がこの文章コードと記憶部２３に記憶された音声データを比較し、一致した音声データを読み出して合成し、音声生成部２６によって音声データを生成し、最終的に宅内ドアホン８および宅外ドアホン９から「震度７の地震が２分後に到着しますので、○○小学校に避難してください」という音声を出力するのである。
【産業上の利用可能性】
【００７７】
以上のように、本実施の形態に係る災害警報システムは、災害が発生したことを低コストで確実に把握することができるという効果を有し、地震、津波、土砂崩れ等の災害が発生したときに、住宅内に設置された電化製品を制御するホームゲートウェイ等の電化製品制御装置を用いて速やかに警報を行うことができる災害警報システム等として有用である。
【図面の簡単な説明】
【００７８】
【図１】実施の形態に係る、構成図を示す。
【図２】実施の形態に係る、ＨＧＷの構成図を示す。
【図３】実施の形態に係る、宅内ドアホンの構成図を示す。
【図４】実施の形態に係る、宅外ドアホンの構成図を示す。
【図５】実施の形態に係る、センター装置の構成図を示す。
【符号の説明】
【００７９】
１  災害警報システム
３  ＨＧＷ
４〜７  電化製品
８  宅内ドアホン
９  宅外ドアホン
１０  異常検知センサ
１１  人体検知手段
１２  内部ＬＡＮ
１３  ネットワーク
２８  異常検知部
２９  制御部
３３  送受話器
４４  スピーカ
５１  外部通信部
５２  避難信号取得部
５３  制御部
５４  記憶部
【図１】
2007188327.tif 000003
【図２】
2007188327.tif 000004
【図３】
2007188327.tif 000005
【図４】
2007188327.tif 000006
【図５】
2007188327.tif 000007